(57)【要約】【課題】ブラケットからのキャップの離脱が抑制された嵌合構造を提供する。【解決手段】長尺部材の端部に設けられるキャップ部材と、キャップ部材が嵌合するブラケットを備え、ブラケットとキャップ部材とにより基体の被取付部に取付けられる取付部が構成される嵌合構造であって、キャップ部材は、キャップ本体と、ブラケットと嵌合する嵌合部と、被取付部に取付けられるキャップ部材側取付部を有し、キャップ部材側取付部は、キャップ本体の軸周り方向に延びて設けられ、ブラケットは、ブラケット本体と、キャップ部材が嵌合する被嵌合部と、被取付部に取付けられるブラケット側取付部とを有し、ブラケット側取付部は、ブラケットの被嵌合部に嵌合したキャップ部材の軸の周りの一方側に設けられ、キャップ部材側取付部は、ブラケットの被嵌合部に嵌合したキャップ部材の軸に対して、ブラケット側取付部とは反対側に設けられている。【選択図】図２
2020067148.tif 000002
【特許請求の範囲】
【請求項１】
長尺部材の端部に設けられるキャップ部材と、前記キャップ部材が嵌合するブラケットを備え、前記ブラケットと前記キャップ部材とにより基体の被取付部に取付けられる取付部が構成される嵌合構造であって、
前記キャップ部材は、キャップ本体と、前記ブラケットと嵌合する嵌合部と、前記被取付部に取付けられるキャップ部材側取付部を有し、
前記キャップ部材側取付部は、前記キャップ本体の軸周り方向に延びて設けられ、
前記ブラケットは、ブラケット本体と、前記キャップ部材が嵌合する被嵌合部と、前記被取付部に取付けられるブラケット側取付部とを有し、
前記取付部は、前記キャップ部材側取付部と前記ブラケット側取付部とにより構成され、
前記ブラケット側取付部は、前記ブラケットの前記被嵌合部に嵌合した前記キャップ部材の軸の周りの一方側に設けられ、
前記キャップ部材側取付部は、前記ブラケットの前記被嵌合部に嵌合した前記キャップ部材の軸に対して、前記ブラケット側取付部とは反対側に設けられた、
嵌合構造。
【請求項２】
前記キャップ部材側取付部は、前記キャップ本体の軸に対して傾斜して前記キャップ本体の軸周り方向に延びて設けられている、
請求項１記載の嵌合構造。
【請求項３】
前記キャップ部材側取付部は、前記ブラケットの前記被嵌合部に前記キャップ部材が嵌合した際に、前記ブラケットと前記基体とにより軸方向で挟持される、
請求項１または２に記載の嵌合構造。
【発明の詳細な説明】
【技術分野】
【０００１】
本発明は、嵌合構造に関する。
【背景技術】
【０００２】
長尺部材を基体に対して取り付ける構造としては、例えば長尺部材であるコントロールケーブルをブラケットに装着するケーブル端末構造が開示されている（例えば、特許文献１）。
【先行技術文献】
【特許文献】
【０００３】
【特許文献１】特開２００８−１１５９５８号公報
【発明の概要】
【発明が解決しようとする課題】
【０００４】
しかし、このような構造では、ブラケットの一部に設けられた切欠部にキャップのリング溝が挿入されることでブラケットとキャップが固定される。このため、ケーブルに加わる外力によっては、ケーブルが切欠き部から離脱してしまうので、ケーブルの移動を抑える部材を設けるなどの対応が必要となる。
【０００５】
本発明は、ブラケットからのキャップの離脱が抑制された嵌合構造を提供することを目的とする。
【課題を解決するための手段】
【０００６】
本発明の嵌合構造は、
長尺部材の端部に設けられるキャップ部材と、前記キャップ部材が嵌合するブラケットを備え、前記ブラケットと前記キャップ部材とにより基体の被取付部に取付けられる取付部が構成される嵌合構造であって、
前記キャップ部材は、キャップ本体と、前記ブラケットと嵌合する嵌合部と、前記被取付部に取付けられるキャップ部材側取付部を有し、
前記キャップ部材側取付部は、前記キャップ本体の軸周り方向に延びて設けられ、
前記ブラケットは、ブラケット本体と、前記キャップ部材が嵌合する被嵌合部と、前記被取付部に取付けられるブラケット側取付部とを有し、
前記取付部は、前記キャップ部材側取付部と前記ブラケット側取付部とにより構成され、
前記ブラケット側取付部は、前記ブラケットの前記被嵌合部に嵌合した前記キャップ部材の軸の周りの一方側に設けられ、
前記キャップ部材側取付部は、前記ブラケットの前記被嵌合部に嵌合した前記キャップ部材の軸に対して、前記ブラケット側取付部とは反対側に設けられている。
【発明の効果】
【０００７】
本発明によれば、ブラケットからのキャップの離脱が抑制された嵌合構造を実現できる。
【図面の簡単な説明】
【０００８】
【図１】本発明の実施の形態に係る嵌合構造を有するフューエルリッドを示す平面図である。
【図２】図１の嵌合構造の要部構成を示す断面図である。
【図３】同嵌合構造を備えるリッドオープナーの分解斜視図である。
【図４】同嵌合構造の要部構成を示す分解断面図である。
【図５】同嵌合構造を備えるリッドオープナーの正面図である。
【図６】同嵌合構造を備えるリッドオープナーの斜視図である。
【図７】キャップ部材が嵌合したブラケットの背面図である。
【図８】ブラケットの背面図である。
【発明を実施するための形態】
【０００９】
以下、本発明の実施の形態について、図面を参照して詳細に説明する。
本実施の形態の嵌合構造は、長尺部材を基体に取り付ける構造であり、ブラケットに装着した長尺部材を、ブラケットを介して基体にブラケットから抜けないように取り付ける。
【００１０】
嵌合構造は、例えば、ブラケットを介した長尺部材の取付対象となる基体の取付部位（被取付部）が平面ではなく、曲面や角度の異なる２つの面の境界部分と重なる部位である場合等でも適用できる。この基体の取付部位が狭小箇所であっても取り付けることができる。
【００１１】
本実施の形態では、嵌合構造１の一つの適用例として図１に示すように、基体７の一例としてのフューエルインレットボックス（図示省略）に尿素リッド開閉用のリッドオープナー３を取り付けた構造を挙げて説明する。なお、本実施の形態では、リッドオープナー３は、フューエルインレットボックス内に配置され、スクリューキャップ４４により閉塞された給油口の近傍に配置されている。
嵌合構造１は、別の構造に適用することもできる。嵌合構造１は、例えば、基体に、牽引可能な長尺部材を抜けないように簡易に取り付ける構造であれば、どのような構造に適用してもよい。例えば、嵌合構造１は、コントロールケーブルを牽引して操作対象を操作する操作レバーを、湾曲した箇所に取り付ける場合等に適用できる。
【００１２】
図１〜図４に示す嵌合構造１のリッドオープナー３は、フューエルインレットボックスに取り付けられる装置として、長尺部材２（図２及び図３参照）の端部２２に設けられるキャップ部材５と、キャップ部材５が嵌合するブラケット６とを備える。
【００１３】
嵌合構造１では、これらブラケット６とキャップ部材５とにより構成される取付部４が、基体７の被取付部７２に取付けられることにより、リッドオープナー３が、フューエルインレットボックスに取り付けられている。本実施の形態では、凹状のフューエルインレットボックスにおいて、導出孔７４が形成された底面部と、この底面部から立ち上がる一側面部とで形成された湾曲した角部が、基体７の被取付部７２に該当する。
【００１４】
［長尺部材２］
長尺部材２は、例えば、ロッド、ケーブル等の長尺の部材であれば、断面等の形状は、どのようなものでもよい。本実施の形態では、長尺部材２は、アウターケーシング２３内にインナーケーブル２１（図２、図３及び図５参照）が摺動自在に内挿されたケーブルである。本実施の形態では、長尺部材２は、インナーケーブル２１の端部２２（ケーブルエンド）がリッドオープナー３に接続し、アウターケーシング２３の端部がキャップ部材５と接続する。端部２２は、キャップ部材５内で移動自在に、キャップ部材５から抜けないように配置されている。アウターケーシング２３の端部がキャップ部材５を介してブラケット６に接続する。ブラケット６にアウターケーシング２３の端部が接続することにより、操作レバーであるリッドオープナー３に対するアウターケーシング２３の端部の位置が決められる。これにより、長尺部材２の配置が決められることになる。
長尺部材２は、本実施の形態では、端部２２が操作ハンドル３２に接続されており、操作ハンドル３２の操作（矢印方向の操作）により、長尺部材２の他端部に接続された尿素リッド（図示省略）の開閉機構を介して、尿素リッドを開閉させる。
【００１５】
［キャップ部材５］
キャップ部材５は、筒状部材であり、長尺部材２の端部２２を覆うように設けられ、ブラケット６に嵌合する。キャップ部材５は、長尺部材２の端部２２をブラケット６に対して、外れないように取り付ける。本実施の形態においては、キャップ部材５にアウターケーシング２３が接続することにより、インナーケーブル２１の端部２２が所定の範囲でキャップ部材５の内側に位置することとなる。そのため、キャップ部材５がブラケットに取り付けられることにより、インナーケーブル２１の端部２２はブラケット６に対して、所定の範囲において位置することとなる。
キャップ部材５は、キャップ本体５２と、ブラケット６と嵌合する嵌合部５４と、被取付部７２に取り付けられるキャップ部材側取付部５６と、案内部５８とを有する。
【００１６】
キャップ本体５２は、有底筒状の部材であり、キャップ本体５２の底部５２ａには貫通孔が設けられ、この貫通孔を介して、長尺部材２が導出される。キャップ本体５２の底部５２ａには、アウターケーシング２３が内側で嵌合する、端部に開口を有する突出部が設けられている。この突出部の開口より挿入されたアウターケーシングの端部は、外周面が突出部の内周面に当接し、突出部と嵌合する。
【００１７】
キャップ本体５２には、長尺部材２のアウターケーシング（図示省略）が固定される。キャップ本体５２内には、アウターケーシング内を摺動するインナーケーブル２１の端部２２が、配置されている。インナーケーブル２１は、底部５２ａにおいて、キャップ本体５２に対して軸方向Ｃに摺動自在とされている。インナーケーブル２１の端部２２が配置されるキャップ本体５２の内側空間には、キャップ本体５２内を摺動自在に摺動端部材３１が配置されている。摺動端部材３１は、端部２２に接続する。摺動端部材３１は、キャップ本体５２内での円滑に移動する。また、摺動端部材３１は、キャップ本体５２内においてコイルバネ等の付勢部材８の一端部を受ける受け部として機能する。摺動端部材３１は、付勢部材８により、一端側に設けられた嵌合部５４の側から底部５２ａ側に付勢されている。なお、付勢部材８の他端部は、底部５２ａと軸Ｃ方向で対向する端面部６６６の裏面側に当接するように配置されてもよい。
【００１８】
キャップ本体５２は、底部５２ａにより、摺動端部材３１の他端部側への移動を規制する。キャップ本体５２は、摺動端部材３１及び長尺部材２の端部２２をキャップ本体５２の他端側から抜けないものとしている。キャップ本体５２は、一端側で開口する開口部の周縁部に嵌合部５４が設けられている。
【００１９】
嵌合部５４は、ブラケット６の被嵌合部に嵌合して、キャップ部材５をブラケット６に嵌合させる。嵌合部５４は、本実施の形態では、被嵌合部が備える被嵌合固定部６９に嵌合して、キャップ部材５をブラケット６に固定する。
嵌合部５４は、被嵌合固定部６９との嵌脱が容易となるように形成されていることが好ましい。嵌合部５４は、本実施の形態では、キャップ部材５をブラケット６に形成された挿入孔６８に挿入することが可能に形成され、挿入孔６８内に配置された被嵌合固定部６９に嵌合する。
【００２０】
嵌合部５４と被嵌合固定部６９は、キャップ部材５のブラケット６の挿入孔６８に対する挿脱により、嵌脱自在に構成されている。例えば、嵌合部５４と被嵌合固定部６９とはスナップフィットで嵌脱自在に構成される。キャップ部材５をブラケット６の挿入孔６８に押し込むことで、キャップ部材５がブラケット６に嵌合する。本実施の形態では、被嵌合固定部６９をブラケット６の挿入孔６８の内周面に形成した凸部とし、キャップ本体５２を樹脂材料で形成し、嵌合部５４を爪部として構成している。この爪部は、キャップ部材５をブラケット６の挿入孔６８に挿入した際に、弾性変形によりブラケット６の凸部に嵌脱するように構成されている（図４及び図６参照）。
【００２１】
キャップ部材側取付部５６は、被取付部７２に接続して、キャップ部材５が被取付部７２に取付けられた状態とする。キャップ部材側取付部５６は、ブラケット側取付部６２２とともに、基体７の被取付部７２に取り付けられる取付部４を構成する。取付部４は、ブラケット６とキャップ部材５が基体７に取り付けられる際に、被取付部７２と接触する。
キャップ部材側取付部５６は、キャップ本体５２の外周において軸周り方向に延びて設けられている。
キャップ部材５とブラケット６とが基体７に取り付けられた際に、キャップ部材側取付部５６は、キャップ部材５がブラケット６に嵌合した状態で、キャップ部材５の軸方向においてブラケット６と基体７に挟まれた状態で配置される。キャップ部材側取付部５６がブラケット６と基体７に挟まれることで、キャップ部材５は軸方向への移動が規制される。
【００２２】
キャップ部材側取付部５６は、ブラケット６の挿入孔６８の縁部６８２（図４及び図８参照）に当接する面と、この面と反対側の面であり、基体７に当接する面とを有する。なお、縁部６８２は、ブラケット６において挿入孔６８の開口縁部の一部に、キャップ部材側取付部５６が嵌まる凹状に形成される。
キャップ部材側取付部５６は、本実施の形態では、キャップ本体５２の外周に、キャップ本体５２の軸に対して傾斜して、キャップ本体５２の軸周り方向に延在する。
キャップ部材側取付部５６は、キャップ本体５２の外周においてＵ字状に形成されたリブ状部材であり、内部に被嵌合固定部６９を有する挿入孔６８の開口縁部に嵌合する。
キャップ部材側取付部５６は、キャップ部材５において、キャップ部材５が挿入孔６８に嵌合した際に、キャップ本体の軸Ｃに対してブラケット側取付部６２２とは反対側となるように設けられている。キャップ部材側取付部５６は、キャップ本体の軸Ｃを挟みブラケット側取付部６２２とは反対側に配置される。キャップ部材側取付部５６は、キャップ部材５の外周の周回り方向の全周に設けられてもよいが、本実施の形態では、キャップ部材５の外周の半周程度に設けられている。
【００２３】
案内部５８は、キャップ本体５２の外周に突設され、キャップ部材５が挿入孔６８に嵌合した際に、挿入孔６８の内周壁に形成された係合溝６６２と係合する。
【００２４】
案内部５８は、本実施の形態では、キャップ本体５２の外周面において挿入孔６８への挿入方向に延在する突条部である。
案内部５８は、キャップ部材５を挿入孔６８に挿入する際に、係合溝６６２に係合し、キャップ部材５の挿入孔６８内への挿入を案内する。また、案内部５８は、係合溝６６２に係合することにより、挿入孔６８に対するキャップ本体５２の軸Ｃ周りの回転を規制する。これにより、ブラケット６へのキャップ部材５の取り付けの際の位置決めとなり、キャップ本体５２はブラケット６に対して軸Ｃ周りの回転が規制される。係合溝６６２は、挿入孔６８の軸方向に延びる側面が設けられ、案内部５８には、この側面と摺接する摺動面とが設けられ、この側面と摺動面とが当接することにより、キャップ本体５２のブラケット６に対して軸Ｃ周りの回転が規制される。
【００２５】
［ブラケット６］
ブラケット６は、キャップ部材５とともに長尺部材２を基体７に取り付ける。
ブラケット６は、基体７の被取付部７２に沿う形状を有する。ブラケット６は、被取付部７２が平面であっても、また、曲面、或いは２つの平面が交わる屈曲面であっても、長尺部材２の端部２２に設けられたキャップ部材５を基体７から離脱しないように、取り付けることができる。
ブラケット６は、被取付部７２において、導出孔７４から長尺部材２が導出される面部と、その面部と角度が異なる面部との間の角部に取り付けられる。
【００２６】
ブラケット６は、被取付部７２に沿って取り付けられるブラケット本体６１と、内部に被嵌合固定部６９を有する挿入孔６８と、キャップ部材側取付部５６とともに被取付部７２に取付けられる取付部４を構成するブラケット側取付部６２２とを有する。本実施の形態では、被嵌合固定部６９を含む挿入孔６８全体で、被嵌合部を形成する。本実施の形態では、被嵌合部の挿入孔６８にキャップ部材５が嵌合して、キャップ部材５の嵌合部５４が被嵌合部の被嵌合固定部６９に嵌合することにより、キャップ部材５がブラケット６に嵌合した状態で固定される。
本実施の形態のブラケット６は、キャップ部材５が基体７に取り付けて操作ハンドル３２によりインナーケーブル２１を牽引可能な状態で、操作ハンドル３２を保持する。
【００２７】
ブラケット本体６１は、被取付部７２の形状に対応した形状を有する。
ブラケット本体６１は、本実施の形態では、取り付けられる角部に沿うように、フューエルインレットボックスの底面上に、底面に沿って配置される第１板状部６２と、第１板状部６２の一端側から湾曲して延在する第２板状部６４とを有する。
ブラケット６には、第１板状部６２と第２板状部６４との湾曲する接続部分に、基体７端部２２側の面（「裏面」）に開口して挿入孔６８が凹状に形成されている。
挿入孔６８内の被嵌合固定部６９は、キャップ部材５の嵌合部５４と嵌合することにより、キャップ部材５をブラケット６のブラケット本体６１に貫通させた状態で取り付ける。なお、被嵌合固定部６９は、キャップ部材５の嵌合部５４と嵌合する形状であればどのように形成されてもよい。
【００２８】
挿入孔６８は中空の台部６６により形成される。
【００２９】
台部６６は、ブラケット６の裏面側に開口する中空部を有し、この中空部により挿入孔６８が形成されている。台部６６において中空部を囲む内周面に被嵌合固定部６９が設けられている。
台部６６は、ブラケット６の表面側において、第１板状部６２から第１板状部６２と第２板状部６４との接続部分及び第２板状部６４に亘る部位から突出して設けられている。
【００３０】
ブラケット６の表面側において、台部６６の第２板状部６４の延出方向に沿って突出する端面部６６６には、貫通孔６６８が形成されている。
貫通孔６６８には、操作ハンドル３２の軸部３３が摺動可能に挿通されている。
【００３１】
台部６６は、軸部３３を軸Ｃ方向、つまり、第２板状部６４に沿う方向に移動自在に案内する。第２板状部６４は、平面状に延びる部位が、挿入孔６８の軸方向に延びている。
ここで、第２板状部６４に沿う方向とは、本実施の形態では、リッドオープナー３が取り付けられる基体７としてのフューエルインレットボックスの一側面に沿う方向である。
【００３２】
なお、端面部６６６と操作ハンドル３２の把持部３４との間には、軸部３３が挿通されたリング状の緩衝材６５が配置されている。緩衝材６５は、本実施の形態では、ゴムパッキン等の弾性部材であり、外部から貫通孔６６８を介して内部への水侵入を防ぐ。また、緩衝材６５は、把持部３４と端面部６６６との直接的な接触を防止する。
【００３３】
操作ハンドル３２は、ユーザが把持して牽引可能な把持部３４と、把持部３４から突出する軸部３３とを有する。
軸部３３は、貫通孔６６８を介して台部６６内から延出するように設けられている。軸部３３の先端に設けられた端部が挿入孔６８において嵌合したキャップ部材５の内側空間に存在する状態で、軸部３３はブラケット６より延出する。挿入孔６８に嵌合するキャップ部材５のキャップ本体５２内で、軸部３３の先端の係合部３３２が、長尺部材２の端部２２に結合した摺動端部材３１の突起３１２と係合されている（図２及び図６参照）。係合部３３２と摺動端部材３１の突起３１２との係合は、操作ハンドル３２の操作によってインナーケーブル２１の端部２２が連結する摺動端部材３１が移動し、付勢部材８の付勢力による摺動端部材３１の移動と共に軸部３３が移動すれば、係合構造が限定されるものではない。インナーケーブル２１の端部２２は、摺動端部材３１と嵌合して設けられている。本実施の形態においては、摺動端部材３１は、軸方向の一方側にインナーケーブル２１の端部２２が嵌合する嵌合孔が設けられ、軸方向の他方側にはインナーケーブル２１が延出する延出口が設けられている。インナーケーブル２１は、摺動端部材３１の径方向の中央に設けられた延出口から延出している。摺動端部材３１は、付勢部材８の端部と接続する座部と、インナーケーブル２１と接続するケーブル接続部と、操作ハンドル３２とハンドルと接続するハンドル接続部とを有している。摺動端部材３１は、操作ハンドル３２の操作によって移動するとともに、インナーケーブル２１が移動し、付勢部材８が弾性変形する。
【００３４】
本実施の形態では、係合部３３２は、軸方向と直交する方向に開口して、インナーケーブル２１を導出した状態で端部２２を収容するように形成されている。
また、把持部３４は、台部６６の端面部６６６と対向して配置されている。把持部３４は、軸部３３の移動に伴い、第２板状部６４の表面に沿って移動自在であり、把持部３４を端面部６６６から離間する方向（図１及び図２に示す矢印方向）に牽引可能である。この牽引により、台部６６内の軸部３３は、貫通孔６６８から外方へ、第２板状部６４の表面に沿って移動する。この移動により、先端の係合部３３２を介して接続された長尺部材２を付勢部材８の付勢力に抗して、把持部３４の移動方向に牽引できる。
【００３５】
ブラケット側取付部６２２は、ブラケット６を基体７に取り付ける。
ブラケット側取付部６２２は、キャップ部材５を嵌合したブラケット６を基体７に取り付けることにより、キャップ部材側取付部５６が基体７からのキャップ部材５の離脱を抑制した状態で、ブラケット６を基体７に固定する。
ブラケット側取付部６２２は、基体７の被取付部７２に面接触して、取り付けられる。
【００３６】
ブラケット側取付部６２２は、ブラケット６の挿入孔６８に嵌合したキャップ部材５の軸Ｃの周りの一方側に設けられ、軸Ｃに対して、キャップ部材側取付部５６とは反対側に設けられる。
すなわち、ブラケット側取付部６２２とキャップ部材側取付部５６とは、ブラケット６の挿入孔６８に嵌合したキャップ部材５の軸Ｃに対して互いに反対の位置に配置される。
本実施の形態では、ブラケット側取付部６２２は、嵌合部５４と被嵌合固定部６９とが嵌合した状態、つまり、キャップ部材５が被嵌合部であるブラケット６の挿入孔６８に嵌合して固定された状態で、キャップ部材側取付部５６とによりキャップ部材５の軸Ｃを挟む位置に配置されている。
具体的には、ブラケット側取付部６２２は、取付穴６３を有し、第１板状部６２の裏面に、面状に形成されている。
【００３７】
ブラケット側取付部６２２は、挿入孔６８を挟み、キャップ部材側取付部５６とは反対側の部位、本実施の形態では、第１板状部６２の他端側角部に設けられている。
ブラケット側取付部６２２は、本実施の形態では、被取付部７２であるフューエルインレットボックスの底面に面接触した状態で、取付穴６３を挿通するネジなどの止着部材４８を介して固定される。ブラケット側取付部６２２とキャップ部材側取付部５６とは、基体７の被取付部７２に対する当接部分を形成し、ブラケット６が基体７に固定された際に、被取付部７２のブラケット６側の面と当接する。キャップ部材５は、ブラケット側取付部６２２とキャップ部材側取付部５６とに挟まれた位置に存在するため、ブラケット６が基体７に固定されることで基体７に対して安定に固定される。また、操作ハンドル３２の軸部３３の側面が貫通孔６６８の開口端部と当接し、摺動端部材３１の外周面がキャップ部材５の内周面と摺接するので、操作ハンドル３２はブラケット６に対して安定して摺動することができる。そのため、操作ハンドル３２は、基体７に対して安定した移動をすることができる。
【００３８】
［嵌合構造１の効果］
図１及び図２に示す嵌合構造１は、キャップ部材５をブラケット６に嵌合したリッドオープナー３を、基体７としてのフューエルインレットボックスの湾曲した凹状の底部の角部を被取付部７２として取り付けた構造である。キャップ部材５は、基体７の底面の導出孔７４から裏面側に突出した状態で取り付けられている。
【００３９】
ブラケット６の第１板状部６２は、フューエルインレットボックスの底面に沿って配置され、第２板状部６４は、フューエルインレットボックスの一側面に沿って配置される。
【００４０】
長尺部材２の端部２２に設けられたキャップ部材５は、ブラケット６の第１板状部６２と第２板状部６４との接合部分である湾曲部分に形成された挿入孔６８に挿入されることによりブラケット６に嵌合している。
【００４１】
キャップ部材５とブラケット６は取付部４を介して被取付部７２に取り付けられている。取付部４は、ブラケット６の被嵌合固定部６９を含む被嵌合部に嵌合したキャップ部材５の軸Ｃに対して、互いに反対の位置にあるキャップ部材側取付部５６とブラケット側取付部６２２とにより構成されている。
【００４２】
キャップ部材側取付部５６は、キャップ部材５の軸Ｃに対して、フューエルインレットボックスの一側面に沿う第２板状部６４側で、軸Ｃ方向でブラケット６と基体７とに面接触して挟持された状態で配置され、軸Ｃ方向で離脱することがない。キャップ部材５は、キャップ部材側取付部５６が基体７によって押圧された状態で、ブラケット６によって支持される。
【００４３】
一方、ブラケット側取付部６２２は、キャップ部材５の軸Ｃに対して、フューエルインレットボックスの底面に沿う第１板状部６２に設けられ、フューエルインレットボックスの底面に面接触して止着部材４８を介して固定されている。
これにより、キャップ部材５は、ブラケット６から離脱が抑制された状態で固定される。また、ブラケット６とともに取り付けられる基体７の被取付部７２の導出孔７４から離脱することがない。キャップ部材側取付部５６とブラケット側取付部６２２とは、軸部３３の軸方向と垂直方向における操作ハンドル３２に力がかかる方向に設けられている。
【００４４】
キャップ部材側取付部５６は、キャップ本体５２の外周に、キャップ本体５２の軸に対して傾斜して、キャップ本体５２の軸周り方向にＵ字状に延在するリブ状部材である。このキャップ部材側取付部５６が、被嵌合固定部６９を有する挿入孔６８の開口縁部に嵌合することにより、案内部５８の有無に関わらず、キャップ部材５がブラケット６に対して軸Ｃ周りに回転すること防止する。これにより、キャップ部材５がブラケット６に対して回転することにより発生する摩擦により、双方の部材同士が削れることがなく、部材同士間のがたつきの発生を防止できる。
【００４５】
本実施の形態では、フューエルインレットボックスの一側面に沿うように配置される第２板状部６４は第１板状部６２から屈曲するように設けられ、キャップ部材側取付部５６は、第１板状部６２側から第２板状部６４側に向かって、軸Ｃ周り方向に延びて設けられている。
これにより、長尺部材２に軸Ｃ方向の外力が掛かり、キャップ部材５にその外力が伝達される場合でも、フューエルインレットボックスの底面に固定されるブラケット側取付部６２２と、軸Ｃに対してブラケット側取付部６２２とは反対側のキャップ部材側取付部５６を介して、フューエルインレットボックスの一側部に沿う第２板状部６４とで、その外力を受けることができる。
【００４６】
本実施の形態では、操作ハンドル３２を引くことにより長尺部材２が付勢部材８の付勢力に抗して、軸Ｃ方向（図１及び図２に示す矢印方向）に牽引される。これにより、長尺部材２が軸Ｃ方向の端部２２側に牽引されて、ブラケット６に対して、軸Ｃを挟み、ブラケット側取付部６２２側、及び、キャップ部材側取付部５６側のうちの少なくとも一方側に荷重が掛かる場合でも、好適に受けて長尺部材２を保持することができる。
また、ブラケット側取付部６２２とキャップ部材側取付部５６とが、ブラケット６の被嵌合部（実施の形態では挿入孔６８）に嵌合したキャップ部材５の軸Ｃを挟むように、キャップ部材５の軸Ｃに対して互いに反対側に設けられている。これによりリッドオープナー３の基体７における取付部位が狭小箇所であっても、長尺部材２の端部２２に設けられたキャップ部材５をブラケット６から離脱しないように取り付けることができる。
【００４７】
なお、本実施の形態の嵌合構造１は、基体７にリッドオープナー３を後付けする構造においても適用可能である。
【００４８】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００４９】
本発明に係る嵌合構造は、ブラケットからのキャップの離脱が抑制された嵌合構造を実現できる効果を有し、特に、フューエルインレットボックスに尿素用のリッドオープナーを取り付ける構造に用いるものとして有用である。
【符号の説明】
【００５０】
１  嵌合構造
２  長尺部材
３  リッドオープナー
４  取付部
５  キャップ部材
６  ブラケット
７  基体
８  付勢部材
２１  インナーケーブル
２２  端部
２３  アウターケーシング
３１  摺動端部材
３２  操作ハンドル
３３  軸部
３４  把持部
４４  スクリューキャップ
４８  止着部材
５２  キャップ本体
５２ａ  底部
５４  嵌合部
５６  キャップ部材側取付部
５８  案内部
６１  ブラケット本体
６２  第１板状部
６３  取付穴
６４  第２板状部
６５  緩衝材
６６  台部
６８  挿入孔（被嵌合部）
６９  被嵌合固定部（被嵌合部）
７２  被取付部
７４  導出孔
３３２  係合部
３１２  突起
６２２  ブラケット側取付部
６６２  係合溝
６６６  端面部
６６８  貫通孔
６８２  縁部
【図１】
2020067148.tif 000003
【図２】
2020067148.tif 000004
【図３】
2020067148.tif 000005
【図４】
2020067148.tif 000006
【図５】
2020067148.tif 000007
【図６】
2020067148.tif 000008
【図７】
2020067148.tif 000009
【図８】
2020067148.tif 000010